(57)【特許請求の範囲】
【請求項１】
画像形成機本体から搬入された用紙を用紙束として一時的にストックしうる用紙受け台と、用紙載置面を有しかつ昇降可能なソート用排出トレイと、用紙受け台から移動させられた用紙束を該トレイに排出するソート用排出ローラ対と、該トレイに排出された用紙束の上面を押さえる押さえ位置と該上面から離隔した待機位置との間を選択的に移動可能な用紙押さえ部材と、該トレイ及び用紙押さえ部材の制御手段とを備え、制御手段は、該トレイを、空の状態では用紙載置面が基準位置に位置するよう待機させかつ用紙束が排出されて用紙載置面に載置される毎に該用紙束の上面が該基準位置に位置付けられるよう下降させると共に、次の用紙束が排出される間、用紙押さえ部材を押さえ位置に移動させて先に排出された用紙束の上面を押さえ、該次の用紙束の排出後、用紙押さえ部材を待機位置に戻すよう制御する画像形成機のフィニッシャにおいて、
用紙押さえ部材が押さえ位置の許容範囲を越えて移動するとＯＮするオーバラン検出器が備えられ、制御手段は、該トレイの用紙載置面に載置された該用紙束の上面が該基準位置に位置付けられた後、用紙押さえ部材を押さえ位置に移動させ、該検出器がＯＮしたときには、用紙押さえ部材を押さえ位置に位置付けた状態で該検出器がＯＦＦするまで該トレイを上昇させる、
ことを特徴とする画像形成機のフィニッシャ。
【請求項２】
制御手段は、該トレイの用紙載置面に載置された該用紙束の上面が該基準位置に位置付けられた後、用紙押さえ部材を押さえ位置に移動させ、該検出器がＯＦＦのときには用紙押さえ部材を待機位置に戻す、請求項１記載の画像形成機のフィニッシャ。
【発明の詳細な説明】
【０００１】
【発明の属する技術分野】
本発明は、複写機やプリンタ等の画像形成機本体に装着され、画像形成機本体から搬入された用紙に用紙後処理、特にノンステイプルのソート処理を施した後にソート用排出トレイに排出する画像形成機のフィニッシャに関する。
【０００２】
【従来の技術】
上記形態の画像形成機のフィニッシャの一つの典型例は、画像形成機本体から搬入された用紙を用紙束として一時的にストックすることができる用紙受け台と、昇降手段によって昇降可能なソート用排出トレイと、用紙受け台から用紙移動手段によって移動させられた用紙束をソート用排出トレイに排出するソート用排出ローラ対と、用紙押さえ部材と、ソート用排出トレイ及び用紙押さえ部材を作動制御することができる制御手段とを備えている。用紙受け台は、ソート用排出トレイの上流側に配置されたソート用排出ローラ対よりも下方位置において、下方からソート用排出ローラ対に向かって上方に傾斜して延在するよう配置されている。ソート用排出トレイは、ソート用排出ローラ対によって排出された用紙束を載置するための用紙載置面を有している。用紙受け台の下端部には、用紙後処理手段であるステイプラーが配置されている。ソート用排出トレイは、昇降手段によって、ハウジングの側壁（画像形成機本体に対し反対側の側壁）に沿って昇降可能である。用紙押さえ部材は、駆動手段によって、ソート用排出トレイに排出された用紙束の上面を押さえる押さえ位置と、用紙束の上面から離隔した待機位置との間を選択的に移動可能である。
【０００３】
制御手段は、ソート用排出トレイを、用紙束がソート用排出ローラ対により排出されていない空の状態においては、用紙載置面が基準位置に位置するよう待機させ、そして用紙束がソート用排出ローラ対により排出されて用紙載置面に載置される毎に用紙束の上面が該基準位置に位置するよう下降させる。ステイプル処理モードが設定された場合には、用紙受け台に一時的にストックされた用紙束にステイプル処理が施される。ステイプル処理が施された用紙束は、用紙移動手段によって用紙受け台からソート用排出ローラ対に向かって移動させられ、次いでソート用排出ローラ対によりソート用排出トレイに排出される。このように、ステイプル処理モードが設定された場合には、用紙押さえ部材は、制御手段によって待機位置に位置付けられた状態に保持される。
【０００４】
しかしながら、ステイプル処理モード以外の用紙後処理モード、例えば単なるソート処理モードが設定された場合には、用紙束は、当然、ノンステイプルの状態でソート用排出ローラ対によってソート用排出トレイに排出される。用紙束がソート用排出トレイに排出されて用紙載置面上に載置された後、次の用紙束は、先に排出されて用紙載置面上に載置されている用紙束における、最上位に存在する用紙束の上面に排出されるが、用紙載置面上に載置されている用紙束がノンステイプルであることに起因して、最上位に存在する用紙を排出方向に押し出し、ソート用排出トレイ上において用紙束に整合不良を発生させる。このような整合不良の発生を防止するため、ステイプル処理モード以外の後処理モード（単なるソート処理モード、あるいはパンチ処理を含むソート処理モード等）が設定された場合には、制御手段は、次の用紙束がソート用排出ローラ対により排出される間、用紙押さえ部材を押さえ位置に移動させ、先に排出されて用紙載置面上に載置された用紙束の一端部の上面を押さえ、次の用紙束がソート用排出ローラ対により排出された後、用紙押さえ部材を待機位置に戻すよう制御する。制御手段はまた、ソート用排出トレイを、用紙が排出されていない、したがって用紙束が用紙載置面上に載置されていない空の状態では、用紙載置面が基準位置に位置付けられるよう待機させ、かつ用紙束が排出されて用紙載置面に載置される毎に該用紙束の上面が該基準位置に位置付けられるよう下降させる。ソート用排出トレイに排出されて用紙載置面上に載置された用紙束は、用紙束検出器によって検出され、この検出信号に基づいてソート用排出トレイは、該用紙束の上面が該基準位置に位置付けられるよう下降させられる。用紙束が排出されていない空の状態では、用紙載置面が用紙束検出センサによって検出され、ソート用排出トレイは、その用紙載置面が該基準位置に位置付けられるよう、制御手段によって制御される。
【０００５】
【発明が解決しようとする課題】
ソート用排出トレイに排出されて用紙載置面上に載置された用紙束の一端部（ハウジングの該側壁寄りの一端部）にカールが生成されていた場合には、用紙束検出センサは、用紙束の、カールが生成されている部分の上面を検出することになり、ソート用排出トレイは、カールが生成された用紙束の上面が該基準位置に位置付けられるよう下降させられる。したがってソート用排出トレイの用紙載置面は、該基準位置からカール量に応じた高さ分だけ、カールが生成されていない場合におけるよりも下方に位置付けられることになる。そして次の用紙束がソート用排出ローラ対により排出される間、用紙押さえ部材は、上記したように制御手段によって、押さえ位置に移動させられ、先に排出されて用紙載置面上に載置された用紙束の一端部の上面を押さえて、用紙載置面上に載置された用紙束の最上位に存在する用紙が排出方向に押し出されるのを防止しようとする。
【０００６】
しかしながら、ソート用排出トレイの用紙載置面は、該基準位置からカール量に応じた高さ分だけ、カールが生成されていない場合におけるよりも下方に位置付けられ、したがって所定の位置よりも下降してしまうので、用紙押さえ部材が押さえ位置に移動させられたにもかかわらず、用紙束の上面を用紙載置面に対し必要最小限の押圧力をもって押さえることができなくなり、用紙押さえの機能が失われてしまう。これは、用紙押さえ部材の押さえ位置は、用紙押さえ部材が用紙載置面に載置された用紙束の上面を適正な押圧力をもって押さえることができる、所定の許容範囲内に設定されており、用紙押さえ部材が該許容範囲を越えて所定量オーバランさせられると、押さえ方向の移動が完全に規制されるからである。したがって、上記従来の画像形成機のフィニッシャにおいては、ソート用排出トレイに排出されて用紙載置面上に載置された用紙束の一端部にカールが生成されていた場合には、用紙載置面上に載置された用紙束の最上位に存在する用紙が、ソート用排出ローラ対により排出される次の用紙束によって、排出方向に押し出されるのを防止することができず、ソート用排出トレイ上において用紙束に整合不良を発生させることになる。
【０００７】
本発明の目的は、ソート用排出トレイに排出されて用紙載置面上に載置された用紙束の一端部にカールが生成されていた場合においても、該用紙束の整合不良を十分確実に防止することを可能にする、新規な画像形成機のフィニッシャを提供することである。
【０００８】
本発明の他の目的は、ソート用排出トレイに排出されて用紙載置面上に載置された用紙束の一端部にカールが生成されていた場合においても、該用紙束の整合不良を十分確実に防止することを、比較的簡単な構成により比較的低コストで達成することを可能にする、新規な画像形成機のフィニッシャを提供することである。
【０００９】
【課題を解決するための手段】
本発明によれば、画像形成機本体から搬入された用紙を用紙束として一時的にストックしうる用紙受け台と、用紙載置面を有しかつ昇降可能なソート用排出トレイと、用紙受け台から移動させられた用紙束を該トレイに排出するソート用排出ローラ対と、該トレイに排出された用紙束の上面を押さえる押さえ位置と該上面から離隔した待機位置との間を選択的に移動可能な用紙押さえ部材と、該トレイ及び用紙押さえ部材の制御手段とを備え、制御手段は、該トレイを、空の状態では用紙載置面が基準位置に位置するよう待機させかつ用紙束が排出されて用紙載置面に載置される毎に該用紙束の上面が該基準位置に位置付けられるよう下降させると共に、次の用紙束が排出される間、用紙押さえ部材を押さえ位置に移動させて先に排出された用紙束の上面を押さえ、該次の用紙束の排出後、用紙押さえ部材を待機位置に戻すよう制御する画像形成機のフィニッシャにおいて、
用紙押さえ部材が押さえ位置の許容範囲を越えて移動するとＯＮするオーバラン検出器が備えられ、制御手段は、該トレイの用紙載置面に載置された該用紙束の上面が該基準位置に位置付けられた後、用紙押さえ部材を押さえ位置に移動させ、該検出器がＯＮしたときには、用紙押さえ部材を押さえ位置に位置付けた状態で該検出器がＯＦＦするまで該トレイを上昇させる、
ことを特徴とする画像形成機のフィニッシャ、が提供される。
制御手段は、該トレイの用紙載置面に載置された該用紙束の上面が該基準位置に位置付けられた後、用紙押さえ部材を押さえ位置に移動させ、該検出器がＯＦＦのときには用紙押さえ部材を待機位置に戻す、ことが好ましい。
【００１０】
【発明の実施の形態】
以下、本発明に従って構成された画像形成機のフィニッシャの好適な実施の形態を、添付図面を参照して更に詳細に説明する。
【００１１】
図１を参照して、番号１００は画像形成機である静電複写機を示しており、複写機１００は、直方体状の画像形成機本体である複写機本体１０２を備えている（図１においてはその一部のみが示されている）。複写機本体１０２の一側部には用紙排出口が形成され、用紙排出口の直上流位置には用紙排出ローラ対１０４が配設されている。複写機１００それ自体は周知の構成を利用することでよく、それ自体の構成は本発明の特徴をなすものではないので、説明は省略する。複写機本体１０２の上記一側部に隣接して、本発明によるフィニッシャ２の実施形態が付設されている。
【００１２】
フィニッシャ２は、直方体形状のハウジング４を備えている。ハウジング４の、複写機本体１０２の上記一側部と対向する一側部であって用紙排出口と対向する位置には用紙搬入口６が設けられている。用紙搬入口６は、上下方向に間隔をおいて対向するよう配置されかつ複写機本体１０２の用紙排出口に向かって上下に開くよう配設された案内板対により構成されている。ハウジング４内の用紙搬入口６の直下流位置には入口搬入ローラ対８が配設されている。また入口搬入ローラ対８の下流側には、第１用紙搬送路１０及び第２用紙搬送路１２が配設されている。相互に間隔をおいて対向するよう配置された案内板対により形成された第１用紙搬送路１０は、入口搬入ローラ対８の直下流位置からハウジング４の他側部方向の上方に向かって傾斜して延びるよう配置されている。第１用紙搬送路１０の下流端には、ノンソート用排出ローラ対１４が配設されている。ハウジング４の上端の他側部寄りにはノンソート用排出トレイ１６が配設され、ノンソート用排出トレイ１６は、ノンソート用排出ローラ対１４により排出される用紙を受け入れて収容しうるよう構成されている。入口搬入ローラ対８及びノンソート用排出ローラ対１４は、それぞれ駆動ローラ（図１において下側に位置するローラ）と従動ローラ（図１において上側に位置するローラ）とから構成されている。
【００１３】
第２用紙搬送路１２は、入口搬入ローラ対８の直下流位置から分岐して、用紙受け台１８に向かって延びるよう配設されている。第１用紙搬送路１０と第２用紙搬送路１２との分岐部には分岐爪２０が配設されている。分岐爪２０は図示しないソレノイドによって図１において２点鎖線で示す第１の位置と、図１において実線で示す第２の位置とに作動させられるよう構成されている。ソレノイドがＯＦＦのときは、分岐爪２０が図１において２点鎖線で示す第１の位置に位置付けられ、上記用紙搬入口６から搬入された用紙は、入口搬入ローラ対８により、分岐爪２０に案内されて第１の用紙搬送路１０を通ってノンソート用排出ローラ対１４に向けて搬送される。また、ソレノイドがＯＮされると、分岐爪２０が図１において実線で示す第２の位置に位置付けられ、用紙搬入口６から搬入された用紙は、入口搬入ローラ対８により、分岐爪２０に案内されて第２用紙搬送路１２を通って用紙受け台１８に向けて搬送される。上記第２用紙搬送路１２における、上記分岐部の直下流位置には、用紙後処理手段であるパンチ処理手段２２が配設されている。
【００１４】
ハウジング４内には用紙受け台１８が上下方向に傾斜して延在するよう配設されている。用紙受け台１８の表面は、上下方向に傾斜して実質上直線状に延在するよう配置されている。用紙受け台１８は、複写機本体１０２から第２用紙搬送路１２を通して搬入された用紙を用紙束として一時的にストックすることができる。用紙受け台１８の下端部には、用紙後処理手段であるステイプラー２３が配置されている。用紙受け台１８の下方から上方への延長上には、ソート用用紙排出路２４が配設され、ソート用用紙排出路２４の下流端にはソート用排出ローラ対２６が配設されている。ソート用用紙排出路２４は相互に間隔をおいて対向するよう配置された案内板対から構成されている。ソート用用紙排出路２４における、ソート用排出ローラ対２６の上流側には、用紙受け台１８から移動される用紙束の排出を検出するための用紙束排出スイッチＳＷ１が配設されている。ソート用排出ローラ対２６は、駆動ローラ（図１において下側に位置するローラ）と従動ローラ（図１において上側に位置するローラ）とから構成されている。ソート用排出ローラ対２６は、用紙受け台１８から移動させられた用紙束を図示しない排出口から後述するソート用排出トレイ３０に排出する。ハウジング４の排出側である他側部にはソート用排出トレイ３０が配設されている。ソート用排出トレイ３０は、用紙束の排出方向に向かって上方に傾斜して直線状に延びる用紙載置面３１を有しており、ソート用排出ローラ対２６により排出される用紙束を受け入れて収容しうるよう配置されている。
【００１５】
ソート用排出トレイ３０は、昇降手段３３によって、ハウジング４の側壁５（複写機本体１０２に対し反対側の側壁５）に沿って昇降可能に配設されている。昇降手段３３は、ハウジング４の側壁５の近傍の上端部及び下端部に配設された駆動プーリ３３ａ及び従動プーリ３３ｂと、プーリ３３ａ及び３３ｂに巻き掛けられたトレイ昇降用ベルト３３ｃと、駆動プーリ３３ａに駆動結合された電動モータＭとから構成されている。ソート用排出トレイ３０は、トレイ昇降用ベルト３３ｃに連結・支持されている。ソート用排出トレイ３０の昇降用駆動源である電動モータＭは、正逆回転可能な電動モータから構成され、電動モータＭの正逆回転により、駆動プーリ３３ａが正逆回転駆動させられ、ソート用排出トレイ３０が昇降させられる。ハウジング４の側壁５の近傍における上端部には、前後方向（図１において表裏方向）に間隔をおいて用紙束検出器である用紙束検出センサＳ１が配設されている。用紙束検出センサＳ１は発光素子及び受光素子からなる光学式透過型センサから構成され、発光素子及び受光素子はソート用排出トレイ３０を上記前後方向に挟んで、図示しない前枠及び後枠間に装着されている。用紙束がソート用排出ローラ対２６により排出されてソート用排出トレイ３０の用紙載置面３１上に載置されている状態では、用紙束の上面が用紙束検出センサＳ１によって検出され、また用紙束がソート用排出トレイ３０の用紙載置面３１上に載置されていない空の状態では、用紙載置面３１が用紙束検出センサＳ１によって検出される。ハウジング４の側壁５の近傍における上端部であって、用紙束検出センサＳ１よりも下方位置には、ソート用排出トレイ３０の上限位置を規定するための上限スイッチＳＷ２が配設されている。
【００１６】
上記説明から明らかなように、用紙受け台１８は、ソート用排出トレイ３０の上流側に配置されたソート用排出ローラ対２６よりも下方位置において、下方からソート用排出ローラ対２６に向かって上方に傾斜して延在するよう配置されている。概ね、相互に間隔をおいて対向するよう配置された案内板対により形成された第２用紙搬送路１２は、上記分岐部からハウジング４の他側部に向かってほぼ水平に延び、次いでハウジング４の他側部と一側部とのほぼ中間部において下方に湾曲させられた後、用紙受け台１８の表面に対し間隔をおいてほぼ平行に、用紙受け台１８の上方から下方に向かって傾斜して延在するよう配置されている。
【００１７】
第２用紙搬送路１２には、第２用紙搬送路１２を通して搬送される用紙を用紙受け台１８に向けて搬入させるための４つの搬入手段４０、４２、４４及び４６が配設されている。複写機１００は、搬送方向長さ（サイズ）の異なる複数種類の用紙が複写可能に構成されている。この実施形態においては、第２用紙搬送路１２には、搬送方向長さの異なる複数種類の用紙が選択的に返送され、搬送方向長さの異なる複数種類の用紙に対応した４つの位置から用紙が用紙受け台１８に向けて選択的に搬入されるよう、搬入手段４０、４２、４４及び４６が４つの異なった位置にそれぞれ配設されている。図１に示す実施形態においては、第２用紙搬送路１２を通して搬送される用紙は、縦方向に搬送されるＪＩＳにおけるＡ３サイズの用紙（以下、単に「Ａ３縦」と略称する）、縦方向に搬送されるＢ４サイズの用紙（以下、単に「Ｂ４縦」と略称する）、縦方向に搬入されるＡ４サイズの用紙（以下、単に「Ａ４縦」と略称する）及び横方向に搬入されるＡ４サイズの用紙（以下、単に「Ａ４横」と略称する）の４種類である。
【００１８】
第２用紙搬送路１２における、用紙受け台１８の表面に対し間隔をおいてほぼ平行に延在する領域には、複数の受け台搬入ローラ対、この実施形態においては４対の受け台搬入ローラ対４０Ａ、４２Ａ、４４Ａ及び４６Ａが搬送方向に間隔をおいて配設されている。受け台搬入ローラ対４０Ａ、４２Ａ、４４Ａ及び４６Ａの各々は、それぞれ、駆動ローラ（図１において用紙受け台１８側に位置するローラ）と従動ローラとから構成されている。搬入手段４０は、第２用紙搬送路１２に配置された搬送ローラ対のうち最上流に位置する受け台搬入ローラ対４０Ａと、受け台搬入ローラ対４０Ａの下流に配設された可動案内部材４１とから構成されている。搬入手段４２は、受け台搬入ローラ対４０Ａの下流に配置された受け台搬入ローラ対４２Ａと、受け台搬入ローラ対４２Ａの下流に配設された可動案内部材４３とから構成されている。搬入手段４４は、受け台搬入ローラ対４２Ａの下流に配置された受け台搬入ローラ対４４Ａと、受け台搬入ローラ対４４Ａの下流に配設された可動案内部材４５とから構成されている。また搬入手段４６は、受け台搬入ローラ対４４Ａの下流に配置された受け台搬入ローラ対４６Ａと、受け台搬入ローラ対４６Ａの下流に配設された静止案内部４７とから構成されている。可動案内部材４１、４３及び４５の各々は、受け台搬入ローラ対４０Ａ、４２Ａ及び４４Ａによって搬送される用紙を、第２用紙搬送路１２に沿って案内する第１案内位置（図１において実線で示される位置）と、第２用紙搬送路１２から分岐して用紙受け台１８に向けて案内する第２案内位置（図１において２点鎖線で示される分岐位置）とに、図示しないソレノイドを含む作動機構によって選択的に位置付けられるよう構成されている。
【００１９】
例えば、第２用紙搬送路１２を通して搬送されるＡ３縦を第２用紙搬送路１２から分岐させて用紙受け台１８に搬入させる場合には、最上流位置にある搬入手段４０の可動案内部材４１を第２案内位置に位置付ける（他の可動案内部材４３及び４５は第１案内位置に位置付けられた状態に保持される）。同様にＢ４縦を用紙受け台１８に搬入させる場合には、搬入手段４２の可動案内部材４３を第２案内位置に位置付ける（他の可動案内部材４１及び４５は第１案内位置に位置付けられた状態に保持される）。Ａ４縦を用紙受け台１８に搬入させる場合には、搬入手段４４の可動案内部材４５を第２案内位置に位置付ける（他の可動案内部材４１及び４３は第１案内位置に位置付けられた状態に保持される）。またＡ４横を搬入手段４６を通して用紙受け台１８に搬入させる場合には、可動案内部材４１、４３及び４５の全てを第１案内位置に位置付けた状態に保持しておけばよい。以上の構成及び作用により、用紙受け台１８に受け入れられる用紙のもぐり込みが防止される。
【００２０】
フィニッシャ２はまた、搬入手段４０、４２、４４及び４６のいずれかによって用紙受け台１８に選択的に搬入された用紙の一端を受け止めてストックしうる受止手段である受止部材４８と、受止部材４８に受け止められてストックされた用紙束をソート用排出ローラ対２６、したがってソート用排出トレイ３０に向けて移動させうる用紙移動手段５０とを備えている。用紙移動手段５０は、用紙受け台１８の長手方向に間隔をおいて配置された駆動プーリ５２及び従動プーリ５３と、駆動プーリ５２及び従動プーリ５３間に巻き掛けられた無端ベルト５４とを備えている。無端ベルト５４は駆動プーリ５２及び従動プーリ５３間を直線状に延びる直線移動部を有しており、この直線移動部は、用紙受け台１８の裏面に沿って用紙受け台１８の長手方向に延在しかつ同方向に移動しうるよう配置されている。駆動プーリ５２が図示しない電動モータにより回転駆動されると、無端ベルト５４は図１において反時計方向に回転駆動させられ、無端ベルト５４の直線移動部は、用紙受け台１８の長手方向の一方からソート用排出トレイ２６に向けて移動させられる。
【００２１】
用紙受け台１８の裏面側には用紙の整合手段６０が設けられている。整合手段６０は、用紙受け台１８の幅方向に間隔をおいて位置付けられた一対の幅寄せ板６２と、一対の幅寄せ板６２を上記幅方向に往復移動させるための幅寄せ機構６４とを備えている。一対の幅寄せ板６２は、用紙受け台１８の表面に沿って幅方向に往復移動自在に配置されている。幅寄せ機構６４は、明確には図示されていないが、幅寄せ板６２の各々に対応して上記幅方向に相互に独立して往復移動しうるよう配設された、ラックを含む移動体と、各移動体のラックにそれぞれ噛み合うよう配設されたピニオンギヤと、ピニオンギヤの各々を相互に独立して回転駆動しうるよう、ピニオンギヤの各々に対応して配設された電動モータとを備えている。この電動モータの各々は正逆回転可能である。幅寄せ板６２の各々は、対応する移動体に装着され、それらと一体に上記幅方向に移動させられる。なお、幅寄せ機構６４には、幅寄せ板６２の各々のホームポジションを検出するための図示しないホームポジション検出器が、幅寄せ板６２の各々に対応して配設されている。電動モータの各々にはロータリエンコーダあるいは周波数発生器等の回転量検出器が装着されており、これらの検出信号により幅寄せ板６２の、用紙のサイズに対応した移動量が規定される。
【００２２】
複写機本体１０２において用紙後処理モード例えばステイプル処理モードが設定され、また例えば用紙がＡ３縦に設定された場合には、分岐爪２０は図１において実線で示す第２の位置に位置付けられる。複写機本体１０２において複写動作が行なわれると、所定の画像が転写された用紙が、複写機本体１０２の用紙排出ローラ対１０４により、フィニッシャ２の用紙搬入口６に排出される。この用紙は、入口搬入ローラ対８により分岐部を通過させられて第２用紙搬送路１２に導入される。第２用紙搬送路１２に導入された用紙は、搬入手段４０の、予め第２案内位置（図１において２点鎖線で示される位置）に位置付けられた可動案内部材４１に案内されながら第２用紙搬送路１２から分岐させられ、用紙受け台１８に向けて搬入させられる。用紙受け台１８に搬入された用紙は、ホームポジションにある受止部材４８によってその一端が受け止められ、搬入移動が停止させられる。用紙受け台１８において用紙であるＡ３縦が受止部材４８に受け止められた後、整合手段６０の幅寄せ機構６４によって用紙の整合動作が行なわれる。そして上記した作動の繰り返しによって、用紙が受止部材４８にステイプル枚数だけストックされると、整合手段６０による所定の整合動作が更に行なわれた後、ステイプラー２３が作動させられ、ステイプル枚数を有する用紙束にステイプル処理が遂行される。
【００２３】
ステイプル処理が遂行された後、用紙移動手段５０の駆動プーリ５２が回転駆動させられる。無端ベルト５４が反時計方向に回転駆動させられる。受止部材４８は、無端ベルト５４と一体に用紙受け台１８の表面に沿って移動させられるので、受止部材４８は、ステイプル処理が施された用紙束を、用紙受け台１８の表面に沿ってソート用排出ローラ対２６（したがってソート用排出トレイ３０）に向けて移動させる。用紙束はソート用用紙排出路２４を通ってからソート用排出ローラ対２６によりソート用排出トレイ３０上に排出される。サイズがＡ３縦についてのステイプル処理は、以上のとおりにして遂行されるが、他のサイズの用紙についてのステイプル処理も、実質上同様にして遂行される。なお横方向に搬送されるＡ４サイズの用紙の搬送は、可動案内部材４１、４３及び４５の全てが第１案内位置（図１において実線で示される位置）に位置付けられた状態で行なわれる。
【００２４】
用紙後処理をしない場合は、分岐爪２０が図１において２点鎖線で示される第１の位置に位置付けられる。そして複写機本体１０２において複写動作が行われ、所定の画像が転写された用紙は、複写機本体１０２の用紙排出ローラ対１０４によりフィニッシャ２の用紙搬入口６に排出される。用紙搬入口６に排出された用紙は、入口搬入ローラ対８により分岐爪２０に案内されて第１用紙搬送路１０内に導入される。第１用紙搬送路１０内に導入された用紙は、入口搬入ローラ対８によりノンソート用排出ローラ対１４に送られ、ノンソート用排出ローラ対１４によって、用紙後処理を施されることなくノンソート用排出トレイ１６上に排出される。
【００２５】
図２〜図５を参照して、フィニッシャ２は、用紙排出トレイ３０に排出された用紙束の上面を押さえる押さえ位置と該上面から離隔した待機位置との間を選択的に移動可能な用紙押さえ部材７０を備えている。用紙押さえ部材７０は用紙押さえユニット７０Ｕ（図３参照）に含まれている。用紙押さえユニット７０Ｕは、支持フレーム７１を備えている。支持フレーム７１は、細長いほぼ矩形状をなす平鋼板から形成され、ハウジング４の側壁５の上端部内側において前後方向（図１及び図２において表裏方向）に延在するよう配設されている。支持フレーム７１の、上記前後方向と一致する長手方向の中央部には、ほぼ矩形状の切欠き７１ａが形成され、切欠き７１ａの長手方向両端には支持フランジ７１ｂが直立して形成されている。支持フランジ７１ｂ間には、回動軸７２が軸受７３を介して回動自在に支持されている。上記前後方向に延在する回動軸７２には用紙押さえ部材７０が一体に装着されている。
【００２６】
適宜の合成樹脂から一体に成形することができる用紙押さえ部材７０は、ほぼ直線上に延びかつ一端に取付孔が形成された基部７０ａと、基部７０ａの他端からほぼ直角に延び出し次いで基部７０ａの他端方向にほぼ湾曲しながら折り返されるように延びる押さえ部７０ｂとからなる。基部７０ａ及び押さえ部７０ｂはそれぞれ所定の厚さを有すると共に同じ一定の幅を有している。用紙押さえ部材７０は、基部７０ａの取付孔が軸７２に相対回転できないようにかつ軸方向に移動できないように嵌合・装着される。用紙押さえ部材７０は、回動軸７２の軸方向から見てほぼＵ形状をなしている。用紙押さえ部材７０の押さえ部７０ｂの外側面は、ほぼ、回動軸７２を軸心とする円弧面に沿って延在するよう形成されている。相互に対向する基部７０ａ及び押さえ部７０ｂの幅方向中央部には、補強リブ７０ｃが設けられている。用紙押さえ部材７０の押さえ部７０ｂの先端には、幅方向に間隔をおいて一対の用紙押さえ突起７０ｄが配設されている。用紙押さえ突起７０ｄの各々は、比較的摩擦係数の大きな部材、例えば合成ゴムから形成されている。
【００２７】
用紙押さえ部材７０の回動軸７２の一端は、支持フレーム７１の片方の支持フランジ７１ｂから外側に突出させられており、回動軸７２の突出部には、オーバラン被検出板部材７４が一体に装着されている。適宜の合成樹脂から一体に成形することができるオーバラン被検出板部材７４は、用紙押さえ部材７０が押さえ位置の許容範囲を越えて移動したとき、すなわちオーバランしたとき、該オーバランを後述するオーバラン検出センサＳ２によって検出するための部材である。オーバラン被検出板部材７４は、円筒部７４ａと、円筒部７４ａの軸方向一端から半径方向外側に延び出すオーバラン被検出板部７４ｂとから構成されている。オーバラン被検出板部７４ｂの先端部はほぼ扇形状をなしている。オーバラン被検出板部７４ｂは、円筒部７４ａから基部７０ａに対し平行に半径方向外側にかつ、円筒部７４ａの軸方向に見て基部７０ａに対し下方に傾斜して延びるよう位置付けられている。支持フレーム７１には、その上端から上方に傾斜して延び出すフランジ７１ｃが折り曲げ形成されている。フランジ７１ｃには、発光部Ｓ２ａと受光部Ｓ２ｂとを備えた光学式透過型検出器であるオーバラン検出センサＳ２が配設されている。発光部Ｓ２ａには図示しない発光素子が設けられ、また受光部Ｓ２ｂには図示しない受光素子が設けられている。発光部Ｓ２ａと受光部Ｓ２ｂとは、用紙押さえ部材７０のオーバラン被検出板部７４ｂの回動軌跡を挟んで相互に間隔をおいて位置付けられている。なお図３において、符号７１ｄは、支持フレーム７１に形成された貫通孔であって、オーバラン被検出板部７４ｂの回動時に、オーバラン被検出板部７４ｂとの干渉を防止してその回動を許容するための貫通孔である。貫通孔７１ｄは上下方向に細長いほぼ矩形状をなしている。
【００２８】
上記回動軸７２の、オーバラン被検出板部材７４側の延長方向における支持フレーム７１の部位には、ほぼ矩形状の比較的大きな貫通孔７１ｅが形成され、貫通孔７１ｅの下端には一対の支持フランジ７５及び７６が形成されている。支持フランジ７５は、支持フレーム７１から直角に延び出す水平部７５ｆと、水平部７５ｆの先端から上方に直角に延び出す直立部７５ｇとを有するよう折り曲げ形成されている。他方、支持フランジ７６は、支持フレーム７１から直角に延び出すよう折り曲げ形成されている。支持フランジ７６には、用紙押さえ部材７０の駆動源であるソレノイドＳＬＯが取り付けられている。ソレノイドＳＬＯはプランジャ７７を有し、プランジャ７７の先端部には、頭付きのばね係止ピン７８が半径方向外側に延び出すよう設けられている。
【００２９】
支持フランジ７５には、用紙押さえ部材７０を回動させるための作動レバー部材８０が回動自在に支持されている。適宜の合成樹脂から一体に成形することができる作動レバー部材８０は、円筒部８１と、円筒部８１の軸方向一端部から半径方向外側にかつ円筒部８１の軸線に直交する方向に延び出す実質上矩形板状のばね係止レバー部８２と、ばね係止レバー部８２の一側から該軸線方向にかつ円筒部８１が存在する側と反対方向に延び出し次いで該軸線から離れる方向に直角に延びる作動レバー部８３とから構成されている。ばね係止レバー部８２の先端部にはばね係止孔８２ａが形成されている。支持フランジ７５の直立部７５ｇには、頭付きの支持ピン８４がねじ係合により固定され、支持ピン８４に円筒部８１が回動自在に嵌合されることにより、作動レバー部材８０は、支持ピン８４に回動自在に支持される。ソレノイドＳＬＯのプランジャ７７のばね係止ピン７８と、作動レバー部材８０のばね係止レバー部８２のばね係止孔８２ａとの間には引張コイルばね８５が配設されている。ソレノイドＳＬＯのプランジャ７７は、用紙押さえ部材７０の回動軸７２と平行な軸線に沿って延在するよう配置されている。上記説明から明らかなように、用紙押さえユニット７０Ｕは、用紙押さえ部材７０、回転軸７２、オーバラン被検出板部材７４、オーバラン検出センサＳ２、ソレノイドＳＬＯ、作動レバー部材８０等の各部材を支持フレーム７１に装着することにより構成されている。
【００３０】
ソレノイドＳＬＯがＯＦＦの状態においては、作動レバー部材８０のばね係止レバー部８２は鉛直方向に延在するよう位置付けられ、作動レバー部８３は、用紙押さえ部材７０の回動軸７２と平行な軸線に沿って延在するよう位置付けられ、作動レバー部８３の先端部は、用紙押さえ部材７０のオーバラン被検出板部材７４におけるオーバラン被検出板部７４ｂの下側の傾斜して延びるよう位置付けられた側面７４ｃに、その下方から接触するよう位置付けられる。用紙押さえ部材７０は、ソート用排出トレイ３０に排出された用紙束の上面から離隔した待機位置に位置付けられる（図２において実線で示される位置、図３及び図４に示される位置）。用紙押さえ部材７０の基部７０ａは回動軸７２から半径方向外側にほぼ水平に延在するよう位置付けられ、オーバラン被検出板部材７４のオーバラン被検出板部７４ｂは、用紙押さえ部材７０の基部７０ａに対し軸方向に間隔をおいて隣接された位置において、回動軸７２から下方に傾斜して延在するよう位置付けられる。ソレノイドＳＬＯのプランジャ７７は最大限延び出した位置に位置付けられ、引張コイルばね８５のセット荷重は実質上ゼロに規定されている。
【００３１】
ソレノイドＳＬＯがＯＮされると、プランジャ７７が引張コイルばね８５に抗して吸引され、図３において右方にフルストローク移動させられる。作動レバー部材８０は、引張コイルばね８５及びばね係止レバー部８２を介して図３において時計方向に支持ピン８４まわりに回動させられる。作動レバー部材８０の作動レバー部８３も同方向に回動させられるので、用紙押さえ部材７０は、オーバラン被検出板部材７４のオーバラン被検出板部７４ｂ及び回動軸７２を介して、図２及び図４において反時計方向に、待機位置から押さえ位置まで回動させられる（図２の２点鎖線で示される位置参照）。用紙押さえ部材７０の押さえ位置については後に更に詳述する。
【００３２】
図示のフィニッシャ２は、図示しない制御手段（コントローラ）を備えている。制御手段は、マイクロコンピュータによって構成されており、制御プログラムに従って演算処理する中央処理装置（ＣＰＵ）、制御プログラムを格納するＲＯＭ、演算結果等を格納する読み書き可能なＲＡＭ、タイマ、カウンタ、入力インターフェース及び出力インターフェース等を備えている。このように構成された制御手段の入力インターフェースには、上記用紙束排出スイッチＳＷ１、上限スイッチＳＷ２、用紙束検出センサＳ１、オーバラン検出センサＳ２、その他のスイッチあるいは検出器等からの検出信号が入力され、出力インターフェースから、ソート用排出トレイ３０の昇降手段３３に含まれる電動モータＭ、用紙搬送系の図示しない電動モータ、整合手段６０の図示しない各電動モータ、図示しない各クラッチ手段、分岐爪２０用の図示しないソレノイド、搬入手段４０、４２及び４４の図示しないソレノイド等に制御信号を出力する。また、フィニッシャ２の制御手段は、複写機本体１０２の図示しない制御手段（コントローラ）と接続されており、両者間においても制御信号のやり取りが行われる。複写機本体１０２の制御手段には、操作手段に配設された複写開始キー、用紙のサイズ（搬送方向長さ）設定キー、ソート処理を指定するためのソート処理設定キー、原稿１セットのソート枚数を指定するソート枚数設定キー、ソート部数を指定するソート部数設定キー（いずれも図示せず）等から複写情報が入力される。
【００３３】
従来のフィニッシャにおけると同様に、上記制御手段は、ソート用排出トレイ３０を、用紙束がソート用排出ローラ対２６によって排出されない空の状態においては、用紙載置面３１が基準位置に位置するよう待機させる。そして用紙束が排出されて用紙載置面３１に載置される毎に該用紙束の上面が該基準位置に位置付けられるよう下降させると共に、次の用紙束が排出される間、用紙押さえ部材７０を押さえ位置に移動させて先に排出された用紙束の上面を押さえ、該次の用紙束の排出後、用紙押さえ部材７０を待機位置に戻すよう制御する。ソート用排出トレイ３０に排出されて用紙載置面３１上に載置された用紙束は、用紙束検出センサＳ１によって検出され、この検出信号に基づいてソート用排出トレイ３０は、該用紙束の上面が基準位置に位置付けられるよう下降させられる。用紙束が排出されていない空の状態では、用紙載置面３１が用紙束検出センサＳ１によって検出され、ソート用排出トレイ３０は、その用紙載置面３１が基準位置に位置付けられるよう、制御手段によって制御される。
【００３４】
ソート用排出トレイ３０の用紙載置面３１の基準位置は、ハウジング４の、ソート用排出ローラ対２６の下流側に設けられた図示しない用紙排出口に対し適切な位置関係となるような位置に設定されている。また、用紙押さえ部材７０の押さえ位置は、その用紙押さえ突起７０ｃの各々が適切な押圧力をもって、ソート用排出トレイ３０に排出されて用紙載置面３１上に載置された用紙束の上面を押さえることができるよう設定されている。上記したように、用紙押さえ部材７０の押さえ位置は、ソレノイドＳＬＯのプランジャ７７が引張コイルばね８５に抗してフルストローク移動させられることにより規定され、ソート用排出トレイ３０の用紙載置面３１上に載置された用紙束の上面が上記基準位置にある限り、その用紙押さえ突起７０ｃの各々が適切な押圧力（引張コイルばね８５による弾性押圧力）をもって該上面を押圧し、次の用紙束の排出による押し出し力に抗することができる弾性押圧力を付与することができる。しかしながら、後述するように、用紙束の上面が上記基準位置よりも過剰に下方に下降させられた位置に位置付けられた場合には、必要最小限の押圧力が得られなくなり、用紙押さえの機能が毀損されることになる。本発明においては、後述するとおりにして、このような不具合が解消される。
【００３５】
図示の実施形態による画像形成機のフィニッシャ２は以上のように構成されており、以下その作動について、主として図６及び図１を参照して説明する。なお、以下の説明は、ソート処理設定キーによってソート処理が指定されたソート処理モードの作動のうち、本発明にかかわる部分についての説明である。なお、ソート用排出トレイ３０は、その用紙載置面３１が基準位置に位置付けられ、用紙押さえ部材７０は待機位置に位置付けられている。
【００３６】
用紙受け台１８において所定のソート枚数からなる用紙束が、受止部材４８によって一時的にストックされた後、用紙移動手段５０によってソート用排出ローラ対２６に向けて移動を開始させられると、制御手段は、ステップＳ１において、用紙束排出スイッチＳＷ１がＯＮしたか否かをチェックする。制御手段は、ステップＳ１において、用紙束排出スイッチＳＷ１がＯＮしない場合には待ち、用紙束排出スイッチＳＷ１がＯＮした場合には、ソート用用紙排出路２４を移動させられているノンステイプルの用紙束の先端が用紙束排出スイッチＳＷ１に達したと判断してステップＳ２に進み、ソレノイドＳＬＯをＯＮさせる。用紙押さえ部材７０は回動軸７２まわりに回動させられて、待機位置から押さえ位置に移動させられる。ソート用排出トレイ３０の用紙載置面３１上には用紙束が存在しない空の状態であるので、用紙押さえ部材７０の用紙押さえ突起７０ｄの各々は用紙載置面３１を押さえる（図２において２点鎖線で示される位置参照）。制御手段はステップＳ３において、用紙束排出スイッチＳＷ１がＯＦＦしたか否かをチェックする。用紙束排出スイッチＳＷ１がＯＦＦしない場合は待ち、用紙束排出スイッチＳＷ１がＯＦＦした場合には、ソート用排出ローラ対２６によって排出されている用紙束の後端が用紙束排出スイッチＳＷ１を通過した判断して、ステップＳ４に進む。制御手段はステップＳ４においてソレノイドＳＬＯをＯＦＦさせる。用紙押さえ部材７０は回動軸７２まわりに回動させられて、押さえ位置から待機位置に戻される。ソート用排出トレイ３０の用紙載置面３１上には、ソート用排出ローラ対２６によって最初の用紙束が排出され、載置される。なお、用紙載置面３１上に排出され、載置された用紙束の一端は、側壁５に当接又は接近して位置付けられる。
【００３７】
制御手段はステップＳ５において、用紙束検出センサＳ１がＯＮしたか否かをチェックする。用紙束検出センサＳ１がＯＮしない場合には待ち、用紙束検出センサＳ１がＯＮした場合には、用紙載置面３１上に用紙束が排出・載置されたと判断してステップＳ６に進み、電動モータＭを逆転駆動させる。ソート用排出トレイ３０は下降を開始する。制御手段はステップＳ７に進んで、用紙束検出センサＳ１がＯＦＦしたか否かをチェックする。用紙束検出センサＳ１がＯＦＦしない場合には待ち、用紙束検出センサＳ１がＯＦＦした場合には、用紙束の上面が基準位置に達したと判断してステップＳ８に進み、電動モータＭの逆転駆動を停止させる。ソート用排出トレイ３０は、用紙載置面３１上に載置された用紙束の上面が基準位置に位置付けられた時点で、その下降が停止される。
【００３８】
制御手段はステップＳ９において、ソレノイドＳＬＯをＯＮさせて、用紙押さえ部材７０を回動軸７２まわりに回動させ、待機位置から押さえ位置に移動させる。用紙押さえ部材７０の用紙押さえ突起７０ｄは用紙載置面３１上に載置された用紙束の上面を押さえる。次いで制御手段はステップＳ１０において、オーバラン検出センサＳ２がＯＮしたか否かをチェックする。オーバラン検出センサＳ２がＯＮしない場合には、用紙押さえ部材７０が押さえ位置の許容範囲内にあると判断してステップＳ１５に進む。ステップＳ１５において制御手段は、ソート用排出トレイ３０に排出された用紙束の数がソート処理設定部数に達したか否かをチェックする。ソート処理設定部数は、用紙束排出スイッチＳＷ１のＯＮ−ＯＦＦ回数によりカウントすることができる。ソート用排出トレイ３０に排出された用紙束の数がソート処理設定部数に達しない場合には、制御手段は、ステップＳ１に戻って先に記載したと実質上同じとおりの処理手順を繰り返し、ソート用排出トレイ３０に排出された用紙束の数がソート処理設定部数に達した場合には、制御手段は、ソート処理動作を終了する。
【００３９】
制御手段はステップＳ１０において、オーバラン検出センサＳ２がＯＮした場合には、用紙束の一端部にカールが発生したことに起因して、用紙押さえ部材７０が押さえ位置の許容範囲を越えてオーバランしたと判断し、ステップＳ１１において、電動モータＭを正転駆動する。ソート用排出トレイ３０は上昇を開始する。ソート用排出トレイ３０の上昇は、用紙押さえ部材７０を押さえ位置に位置付けた状態のまま行なわれる。制御手段はステップＳ１２において、オーバラン検出センサＳ２がＯＦＦしたか否かをチェックする。オーバラン検出センサＳ２がＯＦＦしない場合には待ち、オーバラン検出センサＳ２がＯＦＦした場合には、用紙押さえ部材７０が押さえ位置の許容範囲内に戻されたと判断して、ステップＳ１３において、電動モータＭの正転駆動を停止させる。ソート用排出トレイ３０の上昇は停止する。制御手段はステップＳ１４に進み、ソレノイドＳＬＯをＯＦＦさせる。用紙押さえ部材７０は押さえ位置から待機位置に戻される。制御手段はステップＳ１５に進み、先に記載したとおりの処理動作を遂行する。
【００４０】
なお、上記ソート処理において、最初に用紙束がソート用排出ローラ対２６によってソート用排出トレイ３０に排出される際には、ステップＳ２において用紙押さえ部材７０が待機位置から押さえ位置に移動させられたとき、ソート用排出トレイ３０の用紙載置面３１上には用紙束が存在しない空の状態であるので、用紙押さえ部材７０の用紙押さえ突起７０ｄの各々は用紙載置面３１を押さえる。しかしながら、２番目以降の用紙束がソート用排出トレイ３０に排出される際には、ソート用排出トレイ３０の用紙載置面３１上には先に排出された用紙束が存在するので、用紙押さえ部材７０の用紙押さえ突起７０ｄの各々は、用紙載置面３１上に載置された用紙束の上面を押さえ、先に述べた押し出しによる整合不良を防止する。
【００４１】
上記複写機１００のフィニッシャ２は、用紙押さえ部材７０が押さえ位置の許容範囲を越えて移動するとＯＮするオーバラン検出センサＳ２が備えられ、制御手段は、ソート用排出トレイ３０の用紙載置面３１に載置された用紙束の上面が基準位置に位置付けられた後、用紙押さえ部材７０を押さえ位置に移動させ、オーバラン検出センサＳ２がＯＮしたときには、用紙押さえ部材７０を押さえ位置に位置付けた状態で、オーバラン検出センサＳ２がＯＦＦするまでソート用排出トレイ３０を上昇させるよう構成されている。このような構成により、ソート用排出トレイ３０に排出されて用紙載置面３１上に載置された用紙束の一端部にカールが生成されていた場合においても、用紙束の上面は、用紙押さえ部材７０による適正な押圧力が得られる程度の高さだけ基準位置を越えて上方に位置付けられるので、次の用紙束が排出される間、用紙押さえ部材７０を押さえ位置に移動させた場合、用紙載置面３１上に載置された、カールが生成された用紙束の上面を適正な押圧力で押さえることができる。その結果、ソート用排出トレイ３０の用紙載置面３１上に載置された用紙束の一端部にカールが生成されていた場合においても、次の用紙束の排出によって押し出されることが十分確実に防止されるので、該用紙束の整合不良を十分確実に防止することを可能にする。
【００４２】
上記フィニッシャ２において、制御手段は、ソート用排出トレイ３０の用紙載置面３１に載置された用紙束の上面が基準位置に位置付けられた後、用紙押さえ部材７０を押さえ位置に移動させ、オーバラン検出センサＳ２がＯＦＦのときには用紙押さえ部材７０を待機位置に戻すよう構成されている。このような構成により、ソート用排出トレイ３０の用紙載置面３１上に載置された用紙束の一端部にカールが生成されていない場合には、用紙押さえ部材７０による通常の押さえ動作が円滑に遂行されるよう制御される。
【００４３】
上記フィニッシャ２においては、従来のフィニッシャに、オーバラン検出センサＳ２を配設すると共に用紙押さえ部材７０に関連してオーバラン被検出板部材７４を配設することにより上記作用効果を達成することを実用上容易に可能にする。したがって、ソート用排出トレイ３０に排出されて用紙載置面３１上に載置された用紙束の一端部にカールが生成されていた場合においても、該用紙束の整合不良を十分確実に防止する、との目的を、比較的簡単な構成により比較的低コストで達成することを可能にするものである。
【００４４】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。
【００４５】
【発明の効果】
本発明による画像形成機のフィニッシャによれば、ソート用排出トレイに排出されて用紙載置面上に載置された用紙束の一端部にカールが生成されていた場合においても、該用紙束の整合不良を十分確実に防止することを可能にする。また、ソート用排出トレイに排出されて用紙載置面上に載置された用紙束の一端部にカールが生成されていた場合においても、該用紙束の整合不良を十分確実に防止することを、比較的簡単な構成により比較的低コストで達成することを可能にする。
【図面の簡単な説明】
【図１】本発明に従って構成された画像形成機のフィニッシャの実施形態を示す概略構成図。
【図２】図１に示すフィニッシャの要部を拡大して示す概略構成図。
【図３】図２に示す用紙押さえ部材を含む用紙押さえユニットを図２において左方から見た図であって、一部を省略して示す図。
【図４】図３のＡ−Ａ矢視断面図。
【図５】図３に示す用紙押さえユニットの要部を分解して示す斜視概略図。
【図６】図１に示すフィニッシャを制御する制御手段の処理手順の一部を示すフローチャート。
【符号の説明】
２  フィニッシャ
４  ハウジング
５  側壁
１８  用紙受け台
２４  ソート用用紙排出路
２６  ソート用排出ローラ対
３０  ソート用排出トレイ
３１  用紙載置面
３３  昇降手段
７０  用紙押さえ部材
７０ｄ  用紙押さえ突起
７０Ｕ  用紙押さえユニット
７１  支持フレーム
７２  回転軸
７４  オーバラン被検出板部材
８０  作動レバー部材８０
８３  作動レバー部
Ｍ  電動モータ
ＳＯＬ  ソレノイド
ＳＷ１  用紙束排出スイッチ
ＳＷ２  上限スイッチ
Ｓ１  用紙束検出センサ
Ｓ２  オーバラン検出器
【図１】
0003565259.tif 000002
【図２】
0003565259.tif 000003
【図３】
0003565259.tif 000004
【図４】
0003565259.tif 000005
【図５】
0003565259.tif 000006
【図６】
0003565259.tif 000007